(57)【要約】【課題】１次のバタフライモードの周波数を高域側に変化させつつも、高次のバタフライモードの周波数の変化を抑制することが可能なヘッドアッセンブリを提供する。【解決手段】本発明のヘッドアッセンブリ４は、旋回中心となるピボット部４１と、ピボット部４１から一方に延びて磁気ヘッド６を支持するヘッド支持部４３と、ピボット部４１からヘッド支持部４３とは逆方に延びてコイル７０を支持するコイル支持部４７とを有し、コイル７０は、ピボット部４１に近い側に位置する内辺部７０１と、遠い側に位置する外辺部７０２と、内辺部７０１及び外辺部７０２の両端間に介在する側辺部７０３，７０４と、を含み、コイル７０の内側には、少なくとも側辺部７０３の一部と側辺部７０４の一部との間に補強部材８が架設され、補強部材８のピボット部４１から遠い側の後端部８５が、外辺部７０２から離間している。【選択図】図２
2009277300.tif 000002
【特許請求の範囲】
【請求項１】
旋回中心となるピボット部と、前記ピボット部から一方に延びてヘッドを支持するヘッド支持部と、前記ピボット部から前記ヘッド支持部とは逆方に延びてコイルを支持するコイル支持部とを有するヘッドアッセンブリであって、
前記コイルは、
前記ピボット部に近い側に位置する内辺部と、
前記ピボット部から遠い側に位置する外辺部と、
前記内辺部および前記外辺部の一端間に介在する第１の側辺部と、
前記内辺部および前記外辺部の他端間に介在する第２の側辺部と、
を含み、
前記コイルの内側には、少なくとも前記第１の側辺部の一部と前記第２の側辺部の一部との間に補強部材が架設され、
前記補強部材の前記ピボット部から遠い側の端部が、前記外辺部から離間している、
ことを特徴とするヘッドアッセンブリ。
【請求項２】
前記補強部材は、前記第１の側辺部および前記第２の側辺部のうち、前記ピボット部に近い側の一部に取り付けられている、
請求項１に記載のヘッドアッセンブリ。
【請求項３】
前記補強部材の前記ピボット部から遠い側の端部の中央部分は、その両側部分よりも前記外辺部から離間している、
請求項１に記載のヘッドアッセンブリ。
【請求項４】
前記補強部材の前記ピボット部から遠い側の端部は、前記ピボット部から離れるに従って先細った形状を有する、
請求項１に記載のヘッドアッセンブリ。
【請求項５】
前記補強部材には、該補強部材を前記コイルの内側に取り付ける際に使用されるアライメント孔が形成されている、
請求項１に記載のヘッドアッセンブリ。
【請求項６】
請求項１に記載のヘッドアッセンブリを備える磁気ディスク装置。
【発明の詳細な説明】
【技術分野】
【０００１】
本発明は、ヘッドアッセンブリ及び磁気ディスク装置に関し、特にヘッドアッセンブリの高剛性化に関する。
【背景技術】
【０００２】
ハードディスク等の磁気ディスク装置は、磁気ヘッドの位置決め機構としてヘッドアッセンブリを備えている。このヘッドアッセンブリは、磁気ヘッドを支持するアーム型のヘッド支持部と、ボイスコイルモータのコイルを支持するコイル支持部とを有しており、ボイスコイルモータに旋回駆動されて、磁気ヘッドを磁気ディスク上で位置決めする。
【０００３】
こうした磁気ディスク装置において、磁気ディスクのトラック密度を高めるためには、磁気ヘッドの位置決め制御のサーボ帯域を高める必要がある。しかし、ヘッドアッセンブリは、旋回方向を含む面内の共振モード（いわゆるバタフライモード）を有しており、このうちの１次のバタフライモードがサーボ帯域を高める妨げとなっていた。
【０００４】
そこで、１次のバタフライモードの周波数を高域側に変化させるために、コイルの内側に補強部材（スティフナー）を設けて、ヘッドアッセンブリを高剛性化する手法が存在する。特許文献１には、環状の補強部材をコイルの内周に対して全体的に取り付けたヘッドアッセンブリが開示されている。
【特許文献１】特開平９−７３２１号公報
【発明の開示】
【発明が解決しようとする課題】
【０００５】
しかしながら、上記従来のヘッドアッセンブリのように補強部材をコイルの内周に対して全体的に取り付けた場合、１次のバタフライモードの周波数を高域側に変化させることができるが、これと同時に、２次以上のバタフライモードの周波数までも高域側に変化してしまうという問題がある。２次以上のバタフライモードの周波数が変化した場合、サーボデータのサンプリング周波数などと重なって、磁気ディスク装置の動作を阻害してしまう虞がある。
【０００６】
本発明は、上記実情に鑑みて為されたものであり、１次のバタフライモードの周波数を高域側に変化させつつも、２次以上のバタフライモードの周波数の変化を抑制することが可能な、ヘッドアッセンブリ及び磁気ディスク装置を提供することを主な目的とする。
【課題を解決するための手段】
【０００７】
上記課題を解決するため、本発明のヘッドアッセンブリは、旋回中心となるピボット部と、前記ピボット部から一方に延びてヘッドを支持するヘッド支持部と、前記ピボット部から前記ヘッド支持部とは逆方に延びてコイルを支持するコイル支持部とを有するヘッドアッセンブリであって、前記コイルは、前記ピボット部に近い側に位置する内辺部と、前記ピボット部から遠い側に位置する外辺部と、前記内辺部および前記外辺部の一端間に介在する第１の側辺部と、前記内辺部および前記外辺部の他端間に介在する第２の側辺部と、を含み、前記コイルの内側には、少なくとも前記第１の側辺部の一部と前記第２の側辺部の一部との間に補強部材が架設され、前記補強部材の前記ピボット部から遠い側の端部が、前記外辺部から離間している、ことを特徴とする。
【０００８】
本発明の一態様では、前記補強部材は、前記第１の側辺部および前記第２の側辺部のうち、前記ピボット部に近い側の一部に取り付けられている。
【０００９】
本発明の一態様では、前記補強部材の前記ピボット部から遠い側の端部の中央部分は、その両側部分よりも前記外辺部から離間している。
【００１０】
本発明の一態様では、前記補強部材の前記ピボット部から遠い側の端部は、前記ピボット部から離れるに従って先細った形状を有する。
【００１１】
本発明の一態様では、前記補強部材には、該補強部材を前記コイルの内側に取り付ける際に使用されるアライメント孔が形成されている。
【００１２】
本発明の磁気ディスク装置は、上記ヘッドアッセンブリを備えることを特徴とする。
【発明の効果】
【００１３】
本発明者らが研究を重ねた結果、ヘッドアッセンブリにおける２次以上のバタフライモードの周波数には、ヘッドアッセンブリに支持されるコイルのうち、ピボット部から遠い側に位置する外辺部の剛性が特に寄与することが見出された。
【００１４】
図６Ａないし図６Ｃに、補強部材を有さない従来のヘッドアッセンブリのモード解析図に示す。この従来のヘッドアッセンブリ１００は、ピボット部１００ｐから一方に延びたヘッド支持部１００ｈと、これとは逆方に延び、コイル１０２を支持するコイル支持部１００ｃとを有している。すなわち、図６Ａに示されるように、１次のバタフライモードでは、モードの節が中央のピボット部１００ｐの範囲に存在するため、コイル１０２の外辺部１０２ｒの変形が比較的小さい。このため、１次のバタフライモードの周波数に対する外辺部１０２ｒの剛性の寄与は比較的低いと言うことができる。これに対し、図６Ｂ及び図６Ｃに示されるように、２次以上のバタフライモードでは、モードの節がコイル１０２の範囲に存在するようになるため、コイル１０２が拉げるように変形し、これに伴って外辺部１０２ｒが比較的大きく変形する。このため、２次以上のバタフライモードの周波数に対する外辺部１０２ｒの剛性の寄与は比較的高いと言うことができる。
【００１５】
そこで、上記本発明のように、コイルの内側に補強部材を設け、この補強部材のピボット部から遠い側の端部を、コイルの外辺部から離間させることで、１次のバタフライモードの周波数を高域側に変化させつつも、２次以上のバタフライモードの周波数の変化を抑制することができる。
【発明を実施するための最良の形態】
【００１６】
本発明の実施形態について、図面を参照しながら説明する。
【００１７】
図１は、本発明の一実施形態に係る磁気ディスク装置の平面図である。同図では、トップカバーの図示を省略している。図２は、本発明の一実施形態に係るヘッドアッセンブリの平面図である。図３は、図２の拡大図である。図４は、図３のIV−IV線での断面図である。図５は、図１の拡大図である。なお、本実施形態では、ヘッドアッセンブリの旋回軸と直交する方向を水平方向、旋回軸に沿った方向を上下方向とする。
【００１８】
磁気ディスク装置１の筐体２には、磁気ディスク３及びヘッドアッセンブリ４が収納されている。磁気ディスク３は、筐体２の底部に設けられたスピンドルモータ５に取り付けられている。ヘッドアッセンブリ４は、磁気ディスク２の隣で筐体２の底部に旋回可能に支承されている。
【００１９】
このヘッドアッセンブリ４には、旋回中心となるピボット部４１から磁気ディスク３側に延びたアーム状のヘッド支持部４３が設けられている。このヘッド支持部４３の先端には、磁気ヘッド６を保持するヘッドジンバルアッセンブリ（ＨＧＡ）４５が取り付けられている。
【００２０】
また、ヘッドアッセンブリ４には、ピボット部４１からヘッド支持部４３とは逆方向に延びたコイル支持部４７が設けられている。このコイル支持部４７には、ボイスコイルモータ７の一部を為すコイル７０が取り付けられている。ボイスコイルモータ７は、コイル７０の他に、ヨーク７２及び磁石７３，７４（図５を参照）を含む。
【００２１】
コイル７０は、ピボット部４１に近い側の内辺部７０１と、ピボット部４１から遠い側の外辺部７０２と、これらの両端間に介在する側辺部７０３，７０４とを含んでおり、外辺部７０２が内辺部７０１よりもやや長い略台形枠状の形状を為している。このコイル７０は、水平面内に巻かれた導線の層が上下方向に積層されて、立体的に成形されている。
【００２２】
このコイル７０の外周面の一部には、コイル支持部４７が取り付けられている。具体的には、コイル支持部４７は、ピボット部４１が挿入される基端部４７１から二股に分かれて延びた２本のアーム部４７３，４７４を有しており、これらアーム部４７３，４７４が、コイル７０の側辺部７０３，７０４の外周面に取り付けられる。また、コイル支持部４７の基端部４７１も、コイル７０の内辺部７０１の外周面に取り付けられる。また、図４に示されるように、コイル７０は、接着剤９７によってコイル支持部４７に接着される。コイル支持部４７は金属材料からなり、このようにコイル７０との間に接着剤９７が介在することで、両者は電気的に絶縁される。
【００２３】
他方、コイル７０の内周面の一部には、補強部材（スティフナー）８が取り付けられている。具体的には、補強部材８は、略半弧状の形状を為し、コイル７０の内周面のうちピボット部４１側の略半周に亘って取り付けられている。すなわち、補強部材８は、コイル７０の内辺部７０１の内周面に取り付けられるとともに、側辺部７０３，７０４の内周面うちピボット部４１側の略半分に取り付けられる。
【００２４】
このように、側辺部７０３，７０４の間に補強部材８が架設されることで、ヘッドアッセンブリ４の水平方向の剛性が高められている。また、補強部材８がコイル７０の内周面のうちピボット部４１側の略半周に亘って取り付けられるため、図２に示されるように、補強部材８のピボット部４１から遠い側の後端部８５が、コイル７０の外辺部７０２から離間している。
【００２５】
また、図４に示されるように、補強部材８は、接着剤９８によってコイル７０に接着される。補強部材８は金属材料からなり、このようにコイル７０との間に接着剤９８が介在することで、両者は電気的に絶縁される。
【００２６】
補強部材８は、詳細には、図３に示されるように、コイル７０の内辺部７０１に沿って配される中央部８２と、この中央部８２の両側から側辺部７０３，７０４に沿って後方に延びる側部８３，８４とを有している。このため、中央部８２の後端部８５２は、側部８３，８４の後端部８５３，８５４よりも、コイル７０の外辺部７０２から離間している。また、側部８３，８４の後方側は、図４に示されるように、ピボット部４１から離れるに従って先細ったテーパー形状を有している。
【００２７】
また、補強部材８の中央部８２には、図３に示されるように、上下方向に貫通する２つのアライメント孔８６が形成されている。これらアライメント孔８６には、補強部材８をコイル７０に取り付ける際に、補強部材８を支持するための支持具の一部が挿入される。そして、補強部材８は、コイル７０の内周面との間に僅かな隙間を保った状態で保持され、この隙間に接着剤９８（図４を参照）が注入されることで、コイル７０の内周面に接着される。
【００２８】
以上に説明した本実施形態によれば、図２に示されるように、補強部材８の後端部８５がコイル７０の外辺部７０２から離間しているので、上述したように、１次のバタフライモードの周波数を高域側に変化させつつも、２次以上のバタフライモードの周波数の変化を抑制することができる。
【００２９】
特に、本実施形態においては、コイル支持部４７がコイル７０の外辺部７０２に取り付けられていないことから、この外辺部７０２が他の部分と比べて変形しやすくなっており、補強部材８の後端部８５を外辺部７０２から離間させた場合と、補強部材８の後端部８５を外辺部７０２に取り付けた場合とで、２次以上のバタフライモードの周波数が大きく異なることになる。従って、補強部材８の後端部８５を外辺部７０２から離間させることで、２次以上のバタフライモードの周波数の変化を十分に抑制することができる。
【００３０】
また、本実施形態によれば、図２に示されるように、補強部材８が、コイル７０の側辺部７０３，７０４のうちピボット部４１側の略半分に取り付けられており、補強部材８の重心位置がピボット部４１に比較的近いため、ヘッドアッセンブリ４の重心バランスへの影響を比較的少なくすることができる上、ヘッドアッセンブリ４の慣性モーメントの増加も比較的少なくすることができる。補強部材８の重心位置は、ピボット部４１に近いほど好ましい。
【００３１】
また、本実施形態によれば、図３に示されるように、補強部材８の中央部８２の後端部８５２が、側部８３，８４の後端部８５３，８５４よりもコイル７０の外辺部７０２から離間している。このため、図５に示されるように、補強部材８のうち、ボイスコイルモータ７の磁石７３，７４から磁界を受ける部分の体積を低減することができ、これにより、補強部材８が磁界中を移動することで生じる、ヘッドアッセンブリ４の旋回とは逆方向に作用する力を低減することができる。
【００３２】
また、本実施形態によれば、図４に示されるように、補強部材８の側部８３，８４の後方側が、ピボット部４１から離れるに従って先細ったテーパー形状を有している。このため、補強部材８のうち、ボイスコイルモータ７の磁石７３，７４から磁界を受ける部分の体積を低減することができ、これにより、補強部材８が磁界中を移動することで生じる、ヘッドアッセンブリ４の旋回とは逆方向に作用する力を低減することができる。
【００３３】
また、本実施形態によれば、図３に示されるように、補強部材８にアライメント孔８６が形成されているので、補強部材８をコイル７０の内周面に精度良く簡便に取り付けることができる。
【００３４】
また、本実施形態によれば、補強部材８が金属材料で構成されているため、例えば樹脂材料で構成される場合と比して、ヘッドアッセンブリ４の冷却を促進することができる。このため、高温下にあるときのヘッドアッセンブリ４の剛性の劣化を抑制することができる。また、コイル７０の冷却も促進され、コイル７０からのアウトガスや発塵も抑制することができる。
【００３５】
以上、本発明の実施形態について説明したが、本発明は上記実施形態に限定されるものではなく、種々の変形実施が当業者にとって可能であるのはもちろんである。
【図面の簡単な説明】
【００３６】
【図１】本発明の一実施形態に係る磁気ディスク装置の平面図である。
【図２】本発明の一実施形態に係るヘッドアッセンブリの平面図である。
【図３】図２の拡大図である。
【図４】図３のIV−IV線での断面図である。
【図５】図１の拡大図である。
【図６Ａ】補強部材を有さない従来のヘッドアッセンブリにおける１次のバタフライモードのモード解析図である。
【図６Ｂ】補強部材を有さない従来のヘッドアッセンブリにおける２次のバタフライモードのモード解析図である。
【図６Ｃ】補強部材を有さない従来のヘッドアッセンブリにおける３次のバタフライモードのモード解析図である。
【符号の説明】
【００３７】
１  磁気ディスク装置、２  筐体、３  磁気ディスク、４  ヘッドアッセンブリ、４１  ピボット部、４３  ヘッド支持部、４５  ヘッドジンバルアッセンブリ、４７  コイル支持部、４７１  基端部、４７３  アーム部、４７４  アーム部、５  スピンドルモータ、６  磁気ヘッド、７  ボイスコイルモータ、７０  コイル、７０１  内辺部、７０２  外辺部、７０３  側辺部、７０４  側辺部、７２  ヨーク、７３  磁石、７４  磁石、８  補強部材（スティフナー）、８２  中央部、８３  側部、８４  側部、８５  後端部、８５２  中央部の後端部、８５３  側部の後端部、８５４  側部の後端部、８６  アライメント孔、９７  接着剤、９８  接着剤。
【図１】
2009277300.tif 000003
【図２】
2009277300.tif 000004
【図３】
2009277300.tif 000005
【図４】
2009277300.tif 000006
【図５】
2009277300.tif 000007
【図６Ａ】
2009277300.tif 000008
【図６Ｂ】
2009277300.tif 000009
【図６Ｃ】
2009277300.tif 000010